【手続補正書】
【提出日】平成29年5月25日(2017.5.25)
【手続補正１】
【補正対象書類名】特許請求の範囲
【補正対象項目名】全文
【補正方法】変更
【補正の内容】
【特許請求の範囲】
【請求項１】
植物体または種子の地表下灌漑の方法であって、
（ｉ）管のうちの１本または複数本に水性灌液を供給する親水性材料でコーティングされていない前記１本または複数本の多孔質の管を準備するステップであって、前記管が水頭（ＨＨ）を有する材料を含む、ステップと、
（ｉｉ）前記管を、前記管の長さの少なくとも一部が、灌注すべき複数本の生長段階にある植物体の近傍にあるように設置するステップと、
（ｉｉｉ）前記水性灌液を灌注すべき前記植物体の生長段階の間、前記管中にＨＨ以下の加圧力（Ｐｇｒｏｗｔｈ）で通すステップと
を含み、
前記管が、互いに流体接触しておりかつ前記水性灌液がその管構造に入るような構造に、また前記灌液の入口点と水やりすべき前記植物体の少なくとも１本との間の配管の最小長さが６１ｍであり、前記１本または複数本の管の少なくとも一部の前記ＨＨが少なくとも１００ｃｍｗｃであるように前記管構造に与圧されるような構造に構成される、
方法。
【請求項２】
植物体または種子の地表下灌漑の方法であって、
（ｉ）管のうちの１本または複数本に水性灌液を供給する前記１本または複数本の多孔質のコーティングされていない管を準備するステップであって、前記管が互いに流体接触しておりかつ静水頭圧（ＨＨ）を有する材料を含む、ステップと、
（ｉｉ）前記種子の発芽の間、十分な量の水性灌液を加圧力Ｐｇｅｒｍｉｎａｔｉｏｎで管に通すステップと、
（ｉｉｉ）前記発芽した種子を生長段階に入れるステップと、
（ｉｖ）時間Ｔ１のあいだ加圧力（Ｐｉｎｉｔｉａｌ）で灌注すべき前記植物体の前記生長段階の間、水性灌液を前記管中に通すステップと、
（ｖ）灌注すべき前記植物体の前記生長段階の間に前記管中の前記水性灌液の前記頭圧を、ＨＨ以下の加圧力（Ｐｇｒｏｗｔｈ）まで下げるステップと
を含み、
加圧力ＰｇｅｒｍｉｎａｔｉｏｎはＨＨより１０％以上高く、かつＰｉｎｉｔｉａｌはＰｇｒｏｗｔｈ以上であり、また前記管は、前記水性灌液が前記管構造に入るように、かつ前記灌液の入口点と水やりすべき前記植物体の少なくなくとも１本との間の配管の最小長さが６１ｍであるように前記管構造に与圧されるように構成され、また前記１本または複数本の管の少なくとも一部の前記ＨＨは少なくとも１００ｃｍｗｃである、
方法。
【請求項３】
植物体の地表下灌漑に使用されるシステムであって、
（ｉ）１本または複数本の多孔質の管であって、親水性材料でコーティングされておらず、かつ前記１本または複数本の管のそれぞれが包囲壁と、それによって前記管の内部空間が流体接触の状態にあるような封じ込められた内部空間とを有する構造に、かつ前記包囲壁のうちの１つまたは複数が１００ｃｍｗｃ以上の水頭（ＨＨ）を有する部分を含む構造に配置されている管と、
（ｉｉ）前記管の外側の連続空間であり、かつ植物体の生長培地を含有する外部領域と、
（ｉｉｉ）前記管のうちの前記１本または複数本の前記内部空間中に位置し、加圧力（Ｐｇｒｏｗｔｈ）に保たれた水性灌液と、
（ｉｖ）生長段階にあり、かつその根が前記外部領域中に位置する複数本の植物体と、  （ｖ）水性灌液が前記管の前記内部空間に入ることができる水性灌液の入口点と
を含み、
前記管は、少なくとも１本の管の長さの少なくとも一部が灌注すべき植物体の複数本の根の近傍にあるように設置され、かつ前記水性灌液の入口点は、前記水性灌液の入口点と給水すべき前記植物体の少なくとも１本との間の配管の最小長さが６１ｍであるように設置される、システム。
【手続補正２】
【補正対象書類名】明細書
【補正対象項目名】００２９
【補正方法】変更
【補正の内容】
【００２９】
このシステムは、管の外側の連続空間であり、かつ植物の生長培地を含有する外部領域を包含する。水性灌液は、管の１本または複数本の内部空間中に位置し、加圧力（Ｐｇｒｏｗｔｈ）に保たれる。
さらにこのシステムは、生長段階にあり、かつ根が外部領域中に位置する複数本の植物体と、水性灌液が管の内部空間に入ることができる水性灌液の入口点とを含む。
これら管は、少なくとも１本の管の長さの少なくとも一部が灌注すべき植物体の複数本の根の近傍にあるように設置され、かつ水性灌液の入口点は、水性灌液の入口点と水やりすべき植物体の少なくとも１本との間の配管の最小長さが６１ｍであるように配置される。
この灌漑システムにおいて圧力Ｐｇｒｏｗｔｈは、ＨＨ以下であることができる。さらにまた水性灌液の入口点と植物体の間の配管のすべては、水性灌液の入口点から少なくとも６１ｍの所に設置され、かつ１００ｃｍｗｃ以上のＨＨを有することができる。
本発明の具体的実施態様をいくつか以下に例示する。
〔１〕植物体または種子の地表下灌漑の方法であって、
（ｉ）管のうちの１本または複数本に水性灌液を供給する親水性材料でコーティングされていない前記１本または複数本の多孔質の管を準備するステップであって、前記管が水頭（ＨＨ）を有する材料を含む、ステップと、
（ｉｉ）前記管を、前記管の長さの少なくとも一部が、灌注すべき複数本の生長段階にある植物体の近傍にあるように設置するステップと、
（ｉｉｉ）前記水性灌液を灌注すべき前記植物体の生長段階の間、前記管中にＨＨ以下の加圧力（Ｐｇｒｏｗｔｈ）で通すステップと
を含み、
前記管が、互いに流体接触しておりかつ前記水性灌液がその管構造に入るような構造に、また前記灌液の入口点と水やりすべき前記植物体の少なくとも１本との間の配管の最小長さが６１ｍであり、前記１本または複数本の管の少なくとも一部の前記ＨＨが少なくとも１００ｃｍｗｃであるように前記管構造に与圧されるような構造に構成される、
方法。
〔２〕前記管の前記長さの少なくとも一部が、前記植物体の少なくとも１本の根圏内に位置する、前記〔１〕に記載の方法。
〔３〕前記管が、ステップ（ｉ）の前に発芽段階にある種子の近傍に設置され、かつ水性灌液が、ＨＨより少なくとも１０％高い頭圧で、前記種子の前記発芽段階の間、また前記種子が前記灌注すべき植物体に成熟する間、管に通される、前記〔１〕に記載の方法。
〔４〕ステップ（ｉｉ）の前に、最初の期間、Ｐｇｒｏｗｔｈより少なくとも１０％高い頭圧で前記水性灌液を前記管に通す追加のステップを含む、前記〔１〕に記載の方法。
〔５〕前記疎水性で多孔質のコーティングされていない管が、前記管の外壁に位置する繊維質材料の壁を含み、かつ前記繊維性材料が不織ウェブである、前記〔１〕に記載の方法。
〔６〕前記不織ウェブが、プレキシフィラメントウェブ、スパンボンドウェブ、メルトブローンウェブ、または前述のウェブの組合せを含む、前記〔５〕に記載の方法。
〔７〕前記１本または複数本の管が、水頭の点で異なる部分を含む、前記〔１〕に記載の方法。
〔８〕前記１本または複数本の管の前記水頭が１５０ｃｍｗｃ以上である、前記〔１〕に記載の方法。
〔９〕前記頭圧が１．５ｍ以下である、前記〔１〕に記載の方法。
〔１０〕植物体または種子の地表下灌漑の方法であって、
（ｉ）管のうちの１本または複数本に水性灌液を供給する前記１本または複数本の多孔質のコーティングされていない管を準備するステップであって、前記管が互いに流体接触しておりかつ静水頭圧（ＨＨ）を有する材料を含む、ステップと、
（ｉｉ）前記種子の発芽の間、十分な量の水性灌液を加圧力Ｐｇｅｒｍｉｎａｔｉｏｎで管に通すステップと、
（ｉｉｉ）前記発芽した種子を生長段階に入れるステップと、
（ｉｖ）時間Ｔ１のあいだ加圧力（Ｐｉｎｉｔｉａｌ）で灌注すべき前記植物体の前記生長段階の間、水性灌液を前記管中に通すステップと、
（ｖ）灌注すべき前記植物体の前記生長段階の間に前記管中の前記水性灌液の前記頭圧を、ＨＨ以下の加圧力（Ｐｇｒｏｗｔｈ）まで下げるステップと
を含み、
加圧力ＰｇｅｒｍｉｎａｔｉｏｎはＨＨより１０％以上高く、かつＰｉｎｉｔｉａｌはＰｇｒｏｗｔｈ以上であり、また前記管は、前記水性灌液が前記管構造に入るように、かつ前記灌液の入口点と水やりすべき前記植物体の少なくなくとも１本との間の配管の最小長さが６１ｍであるように前記管構造に与圧されるように構成され、また前記１本または複数本の管の少なくとも一部の前記ＨＨは少なくとも１００ｃｍｗｃである、
方法。
〔１１〕Ｔ１が１日〜７日である、前記〔１０〕に記載の方法。
〔１２〕植物体の地表下灌漑に使用されるシステムであって、
（ｉ）１本または複数本の多孔質の管であって、親水性材料でコーティングされておらず、かつ前記１本または複数本の管のそれぞれが包囲壁と、それによって前記管の内部空間が流体接触の状態にあるような封じ込められた内部空間とを有する構造に、かつ前記包囲壁のうちの１つまたは複数が１００ｃｍｗｃ以上の水頭（ＨＨ）を有する部分を含む構造に配置されている管と、
（ｉｉ）前記管の外側の連続空間であり、かつ植物体の生長培地を含有する外部領域と、
（ｉｉｉ）前記管のうちの前記１本または複数本の前記内部空間中に位置し、加圧力（Ｐｇｒｏｗｔｈ）に保たれた水性灌液と、
（ｉｖ）生長段階にあり、かつその根が前記外部領域中に位置する複数本の植物体と、  （ｖ）水性灌液が前記管の前記内部空間に入ることができる水性灌液の入口点と
を含み、
前記管は、少なくとも１本の管の長さの少なくとも一部が灌注すべき植物体の複数本の根の近傍にあるように設置され、かつ前記水性灌液の入口点は、前記水性灌液の入口点と給水すべき前記植物体の少なくとも１本との間の配管の最小長さが６１ｍであるように設置される、システム。
〔１３〕前記圧力ＰｇｒｏｗｔｈがＨＨ以下である、前記〔１２〕に記載のシステム。
〔１４〕前記水性灌液の入口点と、前記水性灌液の入口点から少なくとも６１ｍの所に位置する前記植物体との間の前記配管の全てが、１００ｃｍｗｃ以上のＨＨを有する、前記〔１２〕に記載のシステム。
〔１５〕前記生長培地が土壌である、前記〔１２〕に記載のシステム。